(57)【特許請求の範囲】
【請求項１】
スチールハウスにおけるブレスを取り付けるために耐力壁の隅部に取り付けられるかつ前記スチールハウスを構成する構造部材と同程度の厚さを有する鋼板からなる耐力壁のガセットプレートであって、
前記耐力壁の柱と前記柱の端部が内面に垂直に差し込まれる枠との接合部に対応する箇所に切欠を形成し、
前記ガセットプレートの前記切欠が形成される側の横方向端部を前記柱の外面に当接し、縦方向端部を前記枠の内面に差し込むことにより、前記ガセットプレートに段差を形成した、耐力壁のガセットプレート。
【請求項２】
前記切欠が形成される側の端縁から連続的に設けられるかつ前記柱の外側面に係止される係止部をさらに備える、請求項１記載の耐力壁のガセットプレート。
【請求項３】
請求項１または２記載の耐力壁のガセットプレートを用いた耐力壁のガセットプレートの取付構造であって、
前記ガセットプレートの前記切欠が形成される側の横方向端部を前記柱の外面に固着し、
前記ガセットプレートの前記切欠が形成される側の縦方向端部を前記枠の内面に固着した、耐力壁のガセットプレートの取付構造。
【発明の詳細な説明】
【０００１】
【産業上の利用分野】
この発明は耐力壁のガセットプレートおよびその取付構造に関し、特にたとえば、スチールハウスのような建造物において、ブレスを取り付けるために耐力壁の隅部に取り付けられる、耐力壁のガセットプレートおよびその取付構造に関する。
【０００２】
【従来の技術】
図８に示す従来のこの種のガセットプレート１は、矩形状の鋼板で形成され、たとえばスチールハウスのような建造物の耐力壁２の４つの隅部３に取り付けられる。具体的には、柱４および枠５の外面にドリリングタッピングねじ（以下、単に「ねじ」という。）６により固着されていた。このように、固着された４つのガセットプレート１に、襷掛けにされた一対のブレス７がねじ６で固着されていた。
【０００３】
【発明が解決しようとする課題】
しかし、この従来技術では、柱４および枠５の外面にガセットプレート１を取り付け、このガセットプレート１にブレス７を取り付けていたので、ガセットプレート１、ねじ６およびブレス７によって厚みが形成されてしまっていた。つまり、これら各部材が重なり合うことによって、耐力壁２（柱４および枠５）の局部が突出してしまっていた。このため、耐力壁２の外面に構造用合板および石膏ボードなどの壁板を取り付けると、壁板に凹凸や曲りが発生したり、さらにはひび割れが発生したりしてしまうという問題があった。
【０００４】
これを回避するため、突出による段差をなくすように壁板と各部材との間に調整板を介挿させていたが、段差が大きいため、多数の調整板を適宜な位置に介挿する必要があった。すなわち、壁板の取り付けが面倒であった。
【０００５】
それゆえに、この発明の主たる目的は、耐力壁の局部に発生する突出を可及的低減することができる、耐力壁のガセットプレートおよびその取付構造を提供することである。
【０００６】
【課題を解決するための手段】
第１の発明は、スチールハウスにおけるブレスを取り付けるために耐力壁の隅部に取り付けられるかつスチールハウスを構成する構造部材と同程度の厚さを有する鋼板からなる耐力壁のガセットプレートであって、耐力壁の柱と柱の端部が内面に垂直に差し込まれる枠との接合部に対応する箇所に切欠を形成し、ガセットプレートの切欠が形成される側の横方向端部を柱の外面に当接し、縦方向端部を枠の内面に差し込むことにより、ガセットプレートに段差を形成した、耐力壁のガセットプレートである。
【０００７】
第２の発明は、第１の発明に記載の耐力壁のガセットプレートを用いた耐力壁のガセットプレートの取付構造であって、ガセットプレートの切欠が形成される側の横方向端部を柱の外面に固着し、ガセットプレートの切欠が形成される側の縦方向端部を枠の内面に固着した、耐力壁のガセットプレートの取付構造である。
【０００８】
【作用】
この発明のガセットプレートには切欠が形成される。このガセットプレートは、スチールハウスの耐力壁の隅部に取り付けられ、ガセットプレートには、襷掛けにされた一対のブレスが取り付けられる。具体的には、ガセットプレートの切欠が形成される側の横方向端部が柱の外面に当接され、切欠が形成される側の縦方向端部が枠の内面に差し込まれる。そして、たとえばドリリングタッピングねじによって、横方向端部が柱の外面に固着（固定）されるとともに、縦方向端部が枠の内面に固定される。このような取付構造では、ガセットプレートに段差が形成される。つまり、ガセットプレートの表面の一部が枠の内面に当接し、ガセットプレートの裏面の一部が柱の外面に当接され、またその枠の内面と柱の外面とは同一平面上に設けられるので、ガセットプレートは自身の厚み分だけ変形され、段差が形成される。たとえば、ブレスがガセットプレートと同じ厚みの鋼板で形成されている場合には、段差によってブレスの厚みを吸収することができる。
【０００９】
また、横方向端部の端縁から連続的に係止部を設けた場合には、ガセットプレートを取り付ける際に、この係止部を柱の外側面に係止させることにより、簡単に位置決めすることができる。つまり、ガセットプレートを容易に取り付けることができる。
【００１０】
【発明の効果】
この発明によれば、ブレスの厚みを吸収することができるので、耐力壁の外面に生じる突出を可及的低減することができる。したがって、耐力壁の外面に取り付けられる壁板に凹凸や曲りが発生するのを防止でき、また壁板にひび割れが発生するのを回避することができる。また、調整板を減らすことができるので、壁板の取り付けが比較的簡単である。
【００１１】
この発明の上述の目的，その他の目的，特徴および利点は、図面を参照して行う以下の実施例の詳細な説明から一層明らかとなろう。
【００１２】
【実施例】
図１を参照して、この実施例の耐力壁のガセットプレート１０は、たとえばスチールハウスに設けられる耐力壁１２の隅部１４に取り付けられ、このガセットプレート１０にはブレス１６が取り付けられる。この実施例では、耐力壁１２は柱１８，上枠２０，下枠２２および間柱２４を含む。
【００１３】
柱１８は、図２に示すように、２つのスタッド（リップ溝形鋼）１８ａおよび１８ｂが互いにウェブ背面で接合されたダブルスタッドからなり、図１で示したように、耐力壁１２の水平方向（横方向）における両端（左右端）に配置される。
【００１４】
なお、図２においては、分かりやすく示すために、柱１８の下端部および下枠２２の一部のみを示してあるが、柱１８の上端部も下端部と同様に構成される。
【００１５】
また、上枠２０および下枠２２は、トラック（溝形鋼）からなり、耐力壁１２の鉛直方向（縦方向）における両端（上下端）に配置される。この上枠２０および下枠２２の内面（溝）は、図２から分かるように、柱１８の上下端部を収納可能な幅に形成され、上枠２０および下枠２２の左右端部に柱１８の上下端部がそれぞれ差し込まれる。そして、柱１８のフランジ２６と上枠２０および下枠２２のフランジ２８とがドリリングタッピングねじ（以下、単に「ねじ」という。）３０で固着（固定）される。
【００１６】
図１に戻って、間柱２４は、１つのスタッドからなり、２つの柱１８のほぼ中央に配置される。間柱２４の上下端部もまた、柱１８と同様に、上枠２０および下枠２２のほぼ中央にそれぞれ差し込まれ、ねじ３０によって固定される。
【００１７】
ガセットプレート１０は、スチールハウスを構成するリップ溝形鋼および溝形鋼等のような柱１８，上枠２０や下枠２２などの構造部材と同様に、０．８〜１．６ｍｍ程度の厚みを有する鋼板からなる。ガセットプレート１０は、図３に示すように、その一隅部が切断され、たとえば四角形状（この実施例では矩形状）の切欠３２が形成される。この切欠３２の横方向の幅Ａは柱１８の幅（２つのフランジ２６の幅）とほぼ同じかやや大きめに設定され、切欠３２の縦方向の幅Ｂは上枠２０および下枠２２の高さ（フランジ２８の幅）とほぼ同じかやや大きめに設定される。このガセットプレート１０は、上述したように、耐力壁１２の隅部１４に取り付けられる。具体的には、図２からよく分かるように、切欠３２が形成される側の横方向の端部（横方向端部）３４が、柱１８のフランジ２６の外面に当接されねじ３０で固定される。また、切欠３２が形成される側の縦方向の端部（縦方向端部）３６が、下枠２２（または上枠２０）のフランジ２８の内面に当接され、ねじ３０で固定される。
【００１８】
図１に戻って、耐力壁１２の隅部１４に取り付けられたガセットプレート１０には、帯板状の鋼板からなる１対のブレス１６が取り付けられる。具体的には、ブレス１６は、耐力壁１２の対角に位置するガセットプレート１０どうしを繋ぐように配置され、すなわち襷掛けに配置され、ブレス１６の端部がねじ３０でガセットプレート１０の外面に固定される。
【００１９】
ガセットプレート１０を耐力壁１２の隅部１４に取り付ける際には、たとえば、切欠３２が柱１８と上枠２０（または下枠２２）との接合部に位置するように、横方向端部３４を柱１８の外面側に配置するとともに、縦方向端部３６を上枠２０（または下枠２２）の溝に差し込む。次に、横方向端部３４の端縁と柱１８の外側面（外側スタッド１８ａのリップ３８）とが取付状態においてほぼ一致するように位置決めをする。続いて、横方向端部３４を柱１８の外面に当接させて、外面側から所定位置にねじ３０を打ち込む。そして、縦方向端部３６を上枠２０（または下枠２２）のフランジ２８の内面に当接させて、外面側から所定位置にねじ３０を打ち込む。
【００２０】
このようにして、ガセットプレート１０が耐力壁１２の隅部１４に取り付けられると、ガセットプレート１０が取り付けられる側の柱１８の外面とガセットプレート１０が取り付けられる側の上枠２０（または下枠２２）のフランジ２８の内面とが同一平面上に設けられているため、縦方向端部３６は、柱１８の外面に固定された横方向端部３４に対して、上枠２０（または下枠２２）のフランジ２８の内面側にやや湾曲（変形）される。
【００２１】
つまり、このようなガセットプレート１０の取付構造では、図４からよく分かるように、ガセットプレート１０には段差が形成される。具体的には、ガセットプレート１０の裏面４０の一部が柱１８の外面に当接され、ガセットプレート１０の表面４２の一部が上枠２０または下枠２２（フランジ２８）の内面に当接されるので、ガセットプレート１０には、ガセットプレート１０の厚みに相当する段差が形成される。
【００２２】
なお、図４においては、分かり易く説明するため、ねじ３０を省略してある。また、図４では、柱１８、上枠２０および下枠２２については、左側を外面とし、右側を内面として説明してあり、ガセットプレート１０については、左側の主面を表面４２とし、右側の主面を裏面４０として説明してある。ただし、このガセットプレート１０が図１で示した耐力壁１２の左下および右上の隅部１４に取り付けられる場合には、図４で示した表面４２と裏面４０とが逆になる。つまり、表面４２の一部が柱１８の外面に当接され、裏面４０の一部が上枠２０または下枠２２（フランジ２８）の内面に当接される。
【００２３】
したがって、たとえばブレス１６の厚みがガットプレート１０の厚みとほぼ同じである場合には、図４に示すように、ガセットプレート１０の横方向端部３４の外面とブレス１６の外面とがほぼ同一平面上に設けられる。つまり、このようなガセットプレート１０の取付構造によって、ブレス１６の厚みを吸収することができる。
【００２４】
この実施例によれば、ガセットプレート１０に形成される段差によってブレス１６の厚みが吸収されるので、各部材の重なりによって耐力壁１２の局部に生じる突出を可及的低減することができる。このため、図４に示すように、この耐力壁１２に壁板４４（構造用合板または石膏ボード等）が取り付けられた場合には、壁板４４には凹凸や曲り等が生じ難くなり、さらにひび割れが発生するのを防止できる。
【００２５】
また、壁板４４を取り付ける際に突出による段差をなくすために用いる調整板の数を低減できるので、比較的簡単に壁板を取り付けることができる。すなわち、現場での施工性が向上する。
【００２６】
また、ガセットプレート１０には切欠３２を形成するだけなので、製造コストが大幅にアップすることもない。
【００２７】
なお、上述の実施例では、四角形状の切欠３２を形成するようにしているが、切欠３２の形状はこれに限定されるものではない。たとえば、図５（Ａ）に示すような三角形状に形成されてもよいし、図５（Ｂ）に示すような略四半楕円形状に形成されてもよい。このように切断面が急変されない形状に切欠３２を形成した場合には、切欠３２による応力集中を低減することができる。つまり、ガセットプレート１０が破損してしまうのを防止することができる。
【００２８】
また、図６（Ａ）および図６（Ｂ）に示すように、ガセットプレート１０の横方向端部３４の端縁から連続して柱１８側に立ち上がる係止部４６を形成するようにしてもよい。この場合には、図７に示すように、ガセットプレート１０を耐力壁１２の隅部１４に取り付けるときに、この係止部４６を柱１８の外側面に係止させることにより、簡単に位置決めすることができる。つまり、施工性をさらに向上することができる。
【００２９】
ただし、ガセットプレート１０は、取り付けられる隅部１４によって、上下および左右の少なくとも一方を異なる向きにして取り付けられるため、図６（Ａ）および図６（Ｂ）で示したように、立ち上がり方向の異なる係止部４６が形成される２種類のガセットプレート１０を用意する必要がある。
【００３０】
なお、この場合にも切欠３２の形状が適宜変更されてもよいことは言うまでもない。
【図面の簡単な説明】
【図１】この発明の一実施例を適用した耐力壁を示す正面図である。
【図２】図１実施例の耐力壁の一部を示す斜視図である。
【図３】図１実施例のガセットプレートを示す正面図である。
【図４】図１実施例の耐力壁の一部を示す図解図である。
【図５】この発明のガセットプレートの他の例を示す正面図である。
【図６】この発明のガセットプレートの他の一例を示す図解図である。
【図７】図６実施例に示すガセットプレートを適用した耐力壁の一部を示す斜視図である。
【図８】従来のガセットプレートを適用した耐力壁を示す正面図である。
【符号の説明】
１０  …耐力壁のガセットプレート
１２  …耐力壁
１４  …隅部
１６  …ブレス
１８  …柱
２０  …上枠
２２  …下枠
３０  …ドリリングタッピングねじ
３２  …切欠
３４  …横方向端部
３６  …縦方向端部
４４  …壁板
４６  …係止部
【図１】
0003681629.tif 000002
【図２】
0003681629.tif 000003
【図３】
0003681629.tif 000004
【図４】
0003681629.tif 000005
【図５】
0003681629.tif 000006
【図６】
0003681629.tif 000007
【図７】
0003681629.tif 000008
【図８】
0003681629.tif 000009